(57)【要約】【課題】圧縮機の内部においてＨＦＯ−１１２３冷媒の不均化反応を抑制する制御の信頼性を高める。【解決手段】冷凍サイクル装置は、少なくともＨＦＯ−１１２３冷媒を含有する冷媒が充填された冷媒回路と、冷媒回路に接続された圧縮機と、冷媒回路に設けられ、圧縮機から吐出された冷媒の温度を検出する温度センサ、または圧縮機から吐出された冷媒の圧力を検出する圧力センサと、温度センサまたは圧力センサの検出結果に基づいて圧縮機を停止させる制御部と、を備える。制御部は、温度センサが検出した冷媒の温度の時間当たりの変化率、または圧力センサが検出した冷媒の圧力の時間当たりの変化率が、各々の所定の第１の閾値以上になったときに、圧縮機を停止させる。【選択図】図４
2020034250.tif 000002
【特許請求の範囲】
【請求項１】
少なくともＨＦＯ−１１２３冷媒を含有する冷媒が充填された冷媒回路と、
前記冷媒回路に接続された圧縮機と、
前記冷媒回路に設けられ、前記圧縮機から吐出された前記冷媒の温度を検出する温度センサ、または、前記圧縮機から吐出された前記冷媒の圧力を検出する圧力センサと、
前記温度センサまたは前記圧力センサの検出結果に基づいて前記圧縮機を停止させる制御部と、を備え、
前記制御部は、前記温度センサが検出した冷媒の温度の時間当たりの変化率、または前記圧力センサが検出した冷媒の圧力の時間当たりの変化率が、各々の所定の第１の閾値以上になったときに、前記圧縮機を停止させる、冷凍サイクル装置。
【請求項２】
前記第１の閾値は、０．２５［℃／秒］または１００［ｋＰａ／秒］である、
請求項１に記載の冷凍サイクル装置。
【請求項３】
前記制御部は、前記温度センサが検出した前記冷媒の温度または前記圧力センサが検出した前記冷媒の圧力が所定の第２の閾値以上になったとき、前記圧縮機を停止させる、
請求項１または２に記載の冷凍サイクル装置。
【請求項４】
前記第２の閾値は、１０５［℃］または４．２［ＭＰａ］である、
請求項３に記載の冷凍サイクル装置。
【請求項５】
前記制御部は、前記第１の閾値に基づいて前記圧縮機を停止させた回数が所定回数以上になったとき、前記圧縮機の再起動を規制する、
請求項１ないし４のいずれか１項に記載の冷凍サイクル装置。
【請求項６】
前記圧縮機は、前記冷媒の圧縮部から冷媒を吐出する吐出口を有し、前記吐出口の大きさが、前記圧縮部内で冷媒が不均化反応を起こしたときに前記圧縮機から前記冷媒回路への前記不均化反応の伝播を抑えるように所定の大きさ以下に形成されている、
請求項１ないし５のいずれか１項に記載の冷凍サイクル装置。
【発明の詳細な説明】
【技術分野】
【０００１】
本発明は、冷凍サイクル装置に関する。
【背景技術】
【０００２】
例えば、空気調和機、冷蔵機器、給湯器等の冷凍サイクル装置には、冷媒が循環する冷媒回路に、圧縮機及びアキュムレータが接続されたものがある。このような冷凍サイクル装置では、冷媒として、ＧＷＰ（Global  Warming  Potential:地球温暖化係数）が低いＨＦＯ−１１２３冷媒を使用することが提案されている（特許文献１）。ＨＦＯ−１１２３冷媒は、高温、高圧の条件下で大きな発熱を伴う不均化反応を起こし易い。冷凍サイクル装置において不均化反応が生じた場合、温度や圧力の急激な上昇によって、圧縮機やこれに接続された冷媒配管が損傷するおそれがある。
【０００３】
不均化反応を抑える対策として、冷媒サイクル装置には、圧縮機から吐出される冷媒の温度または圧力が、圧縮機の使用上における上限値である閾値以上になったときに、制御部によって圧縮機を停止させるように制御するものがある。
【先行技術文献】
【特許文献】
【０００４】
【特許文献１】国際特開第２０１２／１５７７６４号
【発明の概要】
【発明が解決しようとする課題】
【０００５】
冷凍サイクル装置では、例えば、圧縮機の負荷が高い運転時、かつ、圧縮機の内部の温度や圧力がＨＦＯ−１１２３冷媒が不均化反応が起こるほど高い場合に、圧縮機の摺動部分で発生するかじり（異常摩耗）などが着火源となって冷媒が不均化反応を起こすことが考えられる。圧縮機内の冷媒が不均化反応を起こしたときは、圧縮機から吐出される冷媒の温度や圧力が急激に上昇して、圧縮機２１の使用上の上限値を超えるため、制御部によって圧縮機が保護停止されるが、圧縮機が再起動された場合に圧縮機内で冷媒の不均化反応が再び発生し、圧縮機から吐出される冷媒の温度または圧力が再び上限値を超えるまで、不均化反応が継続してしまうおそれがある。
【０００６】
このように冷媒の温度または圧力が上限値に達するまで不均化反応が継続することにより、圧縮機の内部が損傷してしまう。したがって、圧縮機から吐出される冷媒の温度または圧力が閾値以上になったときに制御部が圧縮機を停止させる制御では、冷媒の不均化反応の発生を十分に抑制できないという問題がある。
【０００７】
開示の技術は、上記に鑑みてなされたものであって、圧縮機の内部においてＨＦＯ−１１２３冷媒の不均化反応を抑制できる冷凍サイクル装置を提供することを目的とする。
【課題を解決するための手段】
【０００８】
本願の開示する冷凍サイクル装置の一態様は、少なくともＨＦＯ−１１２３冷媒を含有する冷媒が充填された冷媒回路と、前記冷媒回路に接続された圧縮機と、前記冷媒回路に設けられ、前記圧縮機から吐出された前記冷媒の温度を検出する温度センサ、または、前記圧縮機から吐出された前記冷媒の圧力を検出する圧力センサと、前記温度センサまたは前記圧力センサの検出結果に基づいて前記圧縮機を停止させる制御部と、を備え、前記制御部は、前記温度センサが検出した冷媒の温度の時間当たりの変化率、または前記圧力センサが検出した冷媒の圧力の時間当たりの変化率が、各々の所定の第１の閾値以上になったときに、前記圧縮機を停止させる。
【発明の効果】
【０００９】
本願の開示する冷凍サイクル装置の一態様によれば、圧縮機の内部においてＨＦＯ−１１２３冷媒の不均化反応を抑制できる。
【図面の簡単な説明】
【００１０】
【図１】図１は、実施例の冷凍サイクル装置全体を示す模式図である。
【図２】図２は、実施例の冷凍サイクル装置の室外機及び室内機の制御回路を示すブロック図である。
【図３】図３は、実施例の冷凍サイクル装置の室外機及び室内機の接続状態を示す模式図である。
【図４】図４は、実施例の冷凍サイクル装置において、圧縮機から吐出された冷媒の温度または圧力の単位時間当たりの変化率を模式的に示すグラフである。
【発明を実施するための形態】
【００１１】
以下に、本願の開示する冷凍サイクル装置の実施例を図面に基づいて詳細に説明する。なお、以下の実施例によって、本願の開示する冷凍サイクル装置が限定されるものではない。
【実施例】
【００１２】
実施例の冷凍サイクル装置では、少なくともＨＦＯ−１１２３冷媒を含有する冷媒が用いられる。この冷媒としては、例えば、ＨＦＯ−１１２３冷媒と、Ｒ３２冷媒、Ｒ１２３４ｙ冷媒等の、ＨＦＯ−１１２３冷媒よりも不均化反応を起こし難い、または起こさない高沸点冷媒とを混合した非共沸混合冷媒が用いられる。例えば、非共沸混合冷媒としては、ＨＦＯ−１１２３冷媒が少なくとも４０［ｗｔ％］、Ｒ３２冷媒が少なくとも４０［ｗｔ％］、Ｒ１２３４ｙ冷媒が少なくとも１５［ｗｔ％］を含む混合冷媒を用いる。この混合冷媒は、現在、空気調和装置に広く用いられている、Ｒ４１０Ａ冷媒（Ｒ３２冷媒を５０［ｗｔ％］、Ｒ１２５冷媒を５０［ｗｔ％］を含む。）の蒸気圧、理論吐出温度とほぼ同等になる。このため、この混合冷媒を用いる場合には、現行の冷凍サイクル装置への適用、いわゆるレトロフィットが可能であり、ＧＷＰを大幅に低減でき、環境性に優れた冷凍サイクル装置を実現できる。以下、少なくともＨＦＯ−１１２３冷媒を含有する冷媒について、単に冷媒とも称する。
【００１３】
実施例の冷凍サイクル装置としては、建物の屋上に設置される１台の室外機に、建物の各階に１台ずつ設置される各室内機が並列に接続され、全ての室内機で同時に冷房運転または暖房運転を行うことが可能な空気調和装置を一例として説明する。図１は、実施例の冷凍サイクル装置全体を示す模式図である。図２は、実施例の冷凍サイクル装置の室外機及び室内機の制御回路を示すブロック図である。図３は、実施例の冷凍サイクル装置の室外機及び室内機の接続状態を示す模式図である。
【００１４】
（冷凍サイクル装置の構成）
図１及び図３に示すように、実施例の冷凍サイクル装置１は、建物の屋上に設置される１台の室外機２と、建物の各階に設置され、室外機２に液管８及びガス管９を介して並列に接続された３台の室内機５ａ〜５ｃと、を備えている。液管８は、一端が室外機２の閉鎖弁２５に接続され、他端が分岐して室内機５ａ〜５ｃの各液管接続部５３ａ〜５３ｃにそれぞれ接続されている。ガス管９は、一端が室外機２の閉鎖弁２６に接続され、他端が分岐して室内機５ａ〜５ｃの各ガス管接続部５４ａ〜５４ｃにそれぞれ接続されている。以上により、冷凍サイクル装置１が有する冷媒回路１００が構成されている。
【００１５】
まずは、室外機２について説明する。室外機２は、圧縮機２１と、四方弁２２と、室外熱交換器２３と、室外膨張弁２４と、液管８の一端が接続された閉鎖弁２５と、ガス管９の一端が接続された閉鎖弁２６と、冷媒貯留器であるアキュムレータ２８と、室外ファン２７と、を備えている。室外ファン２７を除くこれら各部は、後述する各冷媒配管を介して相互に接続されており、冷媒回路１００の一部をなす室外機冷媒回路２０を構成している。
【００１６】
圧縮機２１は、インバータにより回転数が制御されるモータ（図示せず）によって駆動されることで、運転容量を可変できる能力可変型の圧縮機である。圧縮機２１の冷媒吐出側は、後述する四方弁２２のポートａと吐出管４１を介して接続されている。圧縮機２１の冷媒吸入側は、アキュムレータ２８の冷媒流出側と吸入管４２を介して接続されている。このように圧縮機２１は、冷媒が充填された冷媒回路１００に接続されている。
【００１７】
また、圧縮機２１の内部には、図１に示すように、冷媒の圧縮部２１ａが設けられている。圧縮部２１ａは、圧縮した冷媒を吐出する吐出口２１ｂを有し、この吐出口２１ｂと吐出管４１とが、破線で示すように連通している。本実施例では、圧縮機として、ロータリ圧縮機が用いられるが、ロータリ圧縮機に限定されるものではなく、スクロール圧縮機が用いられてもよい。
【００１８】
四方弁２２は、冷媒の流れる方向を切り換えるための弁であり、４つのポートａ、ｂ、ｃ、ｄを有している。ポートａは、上述したように圧縮機２１の冷媒吐出側に吐出管４１で接続されている。ポートｂは、室外熱交換器２３の一方の冷媒出入口に冷媒配管４３で接続されている。ポートｃは、アキュムレータ２８の冷媒流入側に冷媒配管４６で接続されている。そして、ポートｄは、閉鎖弁２６に室外機ガス管４５で接続されている。
【００１９】
室外熱交換器２３は、室外機２の内部に取り込まれた外気を、冷媒と後述する室外ファン２７による送風によって熱交換させる。室外熱交換器２３の一方の冷媒出入口は、上述のように四方弁２２のポートｂに冷媒配管４３で接続されており、他方の冷媒出入口が室外機液管４４を介して閉鎖弁２５に接続されている。
【００２０】
室外膨張弁２４は、室外機液管４４に設けられている。室外膨張弁２４は、電子膨張弁であり、その開度が調整されることにより、室外熱交換器２３に流入する冷媒量、または、室外熱交換器２３から流出する冷媒量を調整する。室外膨張弁２４の開度は、冷凍サイクル装置１が冷房運転を行っている場合に全開とされる。また、冷凍サイクル装置１が暖房運転を行っている場合は、後述する吐出温度センサ３３が検出した圧縮機２１の吐出温度に応じて、室外膨張弁２４の開度を制御することにより、冷媒の吐出温度が、圧縮機２１の使用上の上限値を超えないように調整される。
【００２１】
室外ファン２７は、樹脂材で形成されており、室外熱交換器２３の近傍に配置されている。室外ファン２７は、ファンモータ（図示せず）によって回転されることで、吸込口（図示せず）から室外機２の内部へ外気を取り込み、室外熱交換器２３において冷媒と熱交換した外気を、吹出口（図示せず）から室外機２の外部へ放出する。
【００２２】
上述のように、アキュムレータ２８の冷媒流入側は四方弁２２のポートｃに冷媒配管４６を介して接続されるとともに、アキュムレータ２８の冷媒流出側が圧縮機２１の冷媒吸入側に吸入管４２を介して接続されている。アキュムレータ２８は、冷媒配管４６からアキュムレータ２８の内部に流入した冷媒をガス冷媒と液冷媒とに分離してガス冷媒を圧縮機２１に吸入させる。
【００２３】
また、室外機２は、上述した構成に加えて、各種のセンサを有している。図１に示すように、吐出管４１には、圧縮機２１から吐出される冷媒の圧力である吐出圧力を検出する吐出圧力センサ３１と、圧縮機２１から吐出される冷媒の温度を検出する吐出温度センサ３３が設けられている。冷媒配管４６におけるアキュムレータ２８の冷媒流入口の近傍には、圧縮機２１に吸入される冷媒の圧力を検出する吸入圧力センサ３２と、圧縮機２１に吸入される冷媒の温度を検出する吸入温度センサ３４とが設けられている。
【００２４】
室外機液管４４における室外熱交換器２３と室外膨張弁２４との間には、室外熱交換器２３に流入する冷媒の温度、または室外熱交換器２３から流出する冷媒の温度を検出するための熱交温度センサ３５が設けられている。そして、室外機２の吸込口（図示せず）の近傍には、室外機２の内部に流入する外気の温度、すなわち外気温度を検出する外気温度センサ３６が設けられている。
【００２５】
また、室外機２は、制御部としての室外機制御回路２００を備えている。室外機制御回路２００は、室外機２の電装品箱（図示せず）に格納されている制御基板に搭載されている。図２に示すように、室外機制御回路２００は、ＣＰＵ２１０と、記憶部２２０と、通信部２３０と、センサ入力部２４０と、を有している。
【００２６】
記憶部２２０は、ＲＯＭ（Read  Only  Memory）やＲＡＭ（Random  Access  Memory）を有しており、室外機２の制御プログラムや各種センサからの検出信号に対応した検出値、圧縮機２１や室外ファン２７の制御状態等を記憶する。通信部２３０は、室内機５ａ〜５ｃとの通信を行うインターフェイスである。センサ入力部２４０は、室外機２の各種センサが検出した検出結果を取り込んでＣＰＵ２１０に出力する。
【００２７】
ＣＰＵ２１０は、上述した室外機２の各センサが検出した検出結果を、センサ入力部２４０を介して取り込む。また、ＣＰＵ２１０は、室内機５ａ〜５ｃから送信される制御信号を、通信部２３０を介して取り込む。ＣＰＵ２１０は、取り込んだ検出結果及び制御信号に基づいて、圧縮機２１及び室外ファン２７の駆動制御を行う。また、ＣＰＵ２１０は、取り込んだ検出結果及び制御信号に基づいて、四方弁２２の切り換え制御を行う。さらに、ＣＰＵ２１０は、取り込んだ検出結果及び制御信号に基づいて、室外膨張弁２４の開度を調整する。
【００２８】
次に、３台の室内機５ａ〜５ｃについて説明する。３台の室内機５ａ〜５ｃは、室内熱交換器５１ａ〜５１ｃと、室内膨張弁５２ａ〜５２ｃと、分岐した液管８の他端が接続された液管接続部５３ａ〜５３ｃと、分岐したガス管９の他端が接続されたガス管接続部５４ａ〜５４ｃと、室内ファン５５ａ〜５５ｃと、を備えている。そして、室内ファン５５ａ〜５５ｃを除くこれら各部は、後述する各冷媒配管を介して相互に接続されて、冷媒回路１００の一部をなす室内機冷媒回路５０ａ〜５０ｃを構成している。
【００２９】
なお、室内機５ａ〜５ｃの構成は同じであるので、室内機５ａの構成についてのみ説明を行い、室内機５ｂ、５ｃについての説明を省略する。図１では、室内機５ａの各構成部に付けた符号の末尾を、ａからｂ及びｃにそれぞれ変更したものが、室内機５ａの各構成部と対応する室内機５ｂ、５ｃの各構成部となる。
【００３０】
室内熱交換器５１ａは、吸込口（図示せず）から室内機５ａの内部に取り込まれた室内空気を、冷媒と後述する室内ファン５５ａによる送風によって熱交換させる。室内熱交換器５１ａは、一方の冷媒出入口と液管接続部５３ａが室内機液管７１ａで接続されており、他方の冷媒出入口とガス管接続部５４ａが室内機ガス管７２ａで接続されている。室内熱交換器５１ａは、室内機５ａが冷房運転を行う場合に蒸発器として機能し、室内機５ａが暖房運転を行う場合に凝縮器として機能する。
【００３１】
室内膨張弁５２ａは、室内機液管７１ａに設けられている。室内膨張弁５２ａは、電子膨張弁であり、室内熱交換器５１ａが蒸発器として機能する場合、すなわち室内機５ａが冷房運転を行う場合、室内熱交換器５１ａの冷媒出口（ガス管接続部５４ａ側）での冷媒過熱度が目標冷媒過熱度となるように調整される。ここで、目標冷媒過熱度とは、室内機５ａで十分な冷房能力が発揮されるための冷媒過熱度である。また、室内膨張弁５２ａは、室内熱交換器５１ａが凝縮器として機能する場合、すなわち室内機５ａが暖房運転を行う場合、室内熱交換器５１ａの冷媒出口（液管接続部５３ａ側）での冷媒過冷却度が平均冷媒過冷却度となるように調整される。
【００３２】
室内ファン５５ａは、樹脂材で形成されており、室内熱交換器５１ａの近傍に配置されている。室内ファン５５ａは、ファンモータ（図示せず）によって回転されることで、吸込口（図示せず）から室内機５ａの内に室内空気を取り込み、室内熱交換器５１ａにおいて冷媒と熱交換した室内空気を吹出口（図示せず）から室内へ供給する。
【００３３】
上述した構成に加えて、室内機５ａには各種のセンサが設けられている。室内機液管７１ａにおける室内熱交換器５１ａと室内膨張弁５２ａとの間には、室内熱交換器５１ａに流入、または室内熱交換器５１ａから流出する冷媒の温度を検出する液側温度センサ６１ａが設けられている。室内機ガス管７２ａには、室内熱交換器５１ａから流出、または室内熱交換器５１ａに流入する冷媒の温度を検出するガス側温度センサ６２ａが設けられている。室内機５ａの吸込口（図示せず）の近傍には、室内機５ａの内部に流入する室内空気の温度、すなわち吸込温度を検出する吸込温度センサ６３ａが設けられている。室内機５ａの吹出口（図示せず）の近傍には、室内熱交換器５１ａで冷媒と熱交換を行って室内機５ａから室内に放出される空気の温度、すなわち吹出温度を検出する吹出温度センサ６４ａが設けられている。
【００３４】
また、室内機５ａは、室内機制御回路５００ａを備えている。室内機制御回路５００ａは、室内機５ａの電装品箱（図示せず）に格納された制御基板に搭載されており、図１（Ｂ）に示すように、ＣＰＵ５１０ａと、記憶部５２０ａと、通信部５３０ａと、センサ入力部５４０ａと、を備えている。
【００３５】
記憶部５２０ａは、ＲＯＭやＲＡＭを有しており、室内機５ａの制御プログラムや各種センサからの検出信号に対応した検出値、使用者による空調運転に関する設定情報等を記憶する。通信部５３０ａは、室外機２及び他の室内機５ｂ、５ｃとの通信を行うインターフェイスである。センサ入力部５４０ａは、室内機５ａの各種センサが検出した検出結果を取り込んでＣＰＵ５１０ａに出力する。
【００３６】
ＣＰＵ５１０ａは、上述した室内機５ａの各センサが検出した検出結果を、センサ入力部５４０ａを介して取り込む。また、ＣＰＵ５１０ａは、使用者がリモコン（図示せず）を用いて設定した運転情報やタイマー運転設定等を含んだ信号をリモコン受光部（図示せず）を介して取り込む。また、ＣＰＵ５１０ａは、運転開始／停止信号や運転情報（設定温度や室内温度等）を含んだ制御信号を、通信部５３０ａを介して室外機２に送信すると共に、室外機２が検出した吐出圧力等の情報を含む制御信号を、通信部５３０ａを介して室外機２から受信する。ＣＰＵ５１０ａは、取り込んだ検出結果やリモコン及び室外機２から送信された信号に基づいて、室内膨張弁５２ａの開度調整や室内ファン５５ａの駆動制御を行う。なお、冷凍サイクル装置１の制御回路は、上述の室外機制御回路２００と室内機制御回路５００ａ〜５００ｃとによって構成される。
【００３７】
（室外機及び室内機の配置）
以上のように構成された冷凍サイクル装置１は、図３に示すように、建物６００に設置されている。具体的には、室外機２が屋上（ＲＦ）に配置されており、室内機５ａが３階（３Ｆ）、室内機５ｂが２階（２Ｆ）、室内機５ｃが１階（１Ｆ）に、それぞれ設置されている。室外機２と室内機５ａ〜５ｃとは、上述した液管８とガス管９とで相互に接続されており、これら液管８とガス管９とが、建物６００の壁面内や天井裏に埋設されている。
【００３８】
（冷凍サイクル装置の動作）
次に、本実施形態における冷凍サイクル装置１の空調運転時の冷媒回路１００における冷媒の流れや各部の動作について、図１を用いて説明する。以下、室内機５ａ〜５ｃが暖房運転を行う場合について説明し、冷房／除霜運転を行う場合については詳細な説明を省略する。また、図１における矢印は、暖房運転時の冷媒の流れを示している。
【００３９】
図１に示すように、室内機５ａ〜５ｃが暖房運転を行う場合、室外機制御回路２００のＣＰＵ２１０は、四方弁２２を図１中に実線で示す状態、すなわち、四方弁２２のポートａとポートｄを連通させ、ポートｂとポートｃを連通させるように切り換える。これにより、冷媒回路１００が、室外熱交換器２３が蒸発器として機能するとともに室内熱交換器５１ａ〜５１ｃが凝縮器として機能する暖房サイクルとなる。
【００４０】
圧縮機２１から吐出された高圧の冷媒は、吐出管４１を流れて四方弁２２に流入し、四方弁２２から室外機ガス管４５、閉鎖弁２６、ガス管９、ガス管接続部５４ａ〜５４ｃの順に流れて室内機５ａ〜５ｃに流入する。室内機５ａ〜５ｃに流入した冷媒は、室内機ガス管７２ａ〜７２ｃを流れて室内熱交換器５１ａ〜５１ｃに流入し、室内ファン５５ａ〜５５ｃの回転によって室内機５ａ〜５ｃの内部に取り込まれた室内空気と熱交換を行って凝縮する。このように、室内熱交換器５１ａ〜５１ｃが凝縮器として機能し、室内熱交換器５１ａ〜５１ｃで冷媒と熱交換を行って加熱された室内空気が吹出口（図示せず）から室内に吹き出されることによって、室内機５ａ〜５ｃが設置された室内の暖房が行われる。
【００４１】
室内熱交換器５１ａ〜５１ｃから流出した冷媒は室内機液管７１ａ〜７１ｃを流れ、室内膨張弁５２ａ〜５２ｃを通過して減圧される。減圧された冷媒は、室内機液管７１ａ〜７１ｃを流れて液管接続部５３ａ〜５３ｃを介して液管８に流入する。
【００４２】
液管８を流れる冷媒は、閉鎖弁２５を介して室外機２に流入する。室外機２に流入した冷媒は、室外機液管４４を流れ、吐出温度センサ３３で検出した圧縮機２１の吐出温度に応じて開度が調整された室外膨張弁２４を通過するときに更に減圧される。室外機液管４４から室外熱交換器２３に流入した冷媒は、室外ファン２７の回転によって室外機２の内部に取り込まれた外気と熱交換を行って蒸発する。室外熱交換器２３から流出した冷媒は、冷媒配管４３、四方弁２２、冷媒配管４６、アキュムレータ２８、吸入管４２の順に流れ、圧縮機２１に吸入されて再び圧縮される。
【００４３】
なお、室内機５ａ〜５ｃが冷房／除霜運転を行う場合、ＣＰＵ２１０は、四方弁２２を図１中に破線で示す状態、すなわち、四方弁２２のポートａとポートｂとを連通させ、ポートｃとポートｄとを連通させるように切り換える。これにより、冷媒回路１００は、室外熱交換器２３が凝縮器として機能すると共に室内熱交換器５１ａ〜５１ｃが蒸発器として機能する冷房サイクルとなる。
【００４４】
（冷凍サイクル装置の特徴的な構成）
次に、実施例の冷凍サイクル装置１の特徴的な構成について説明する。冷凍サイクル装置１の室外機２は、吐出温度センサ３３によって、圧縮機２１から吐出される冷媒の温度を検出し、吐出圧力センサ３１によって、圧縮機２１から吐出される冷媒の圧力である吐出圧力を検出する（図１参照）。冷凍サイクル装置１では、制御部としての室外機制御回路２００が、吐出温度センサ３３及び吐出圧力センサ３１の検出結果に基づいて、圧縮機２１の運転を制御することにより、圧縮機２１内で冷媒が不均化反応を起こすことを抑制する。
【００４５】
（第１の閾値による制御）
冷凍サイクル装置１では、制御部としての室外機制御回路２００が、吐出温度センサ３３が検出した冷媒の温度の単位時間当たりの変化率、または吐出圧力センサ３１が検出した冷媒の圧力の単位時間当たりの変化率が、所定の第１の閾値Ｎ１以上になったときに、圧縮機２１への電力供給を遮断し、圧縮機２１を停止させる。本実施例では、冷媒の不均化反応の発生時の試験結果に基づいて、第１の閾値Ｎ１が、温度の変化率を用いる場合は０．２５［℃／秒］、または、圧力の変化率を用いる場合は１００［ｋＰａ／秒］に設定されている。
【００４６】
具体的には、室外機制御回路２００は、吐出温度センサ３３及び吐出圧力センサ３１によって冷媒の温度及び圧力を所定時間毎に検出し、その検出値を記憶部２２０に記憶し、所定時間毎に温度及び圧力の差分を算出することにより、温度の変化率、圧力の変化率を演算する。また、室外機制御回路２００は、第１の閾値Ｎ１によって圧縮機２１を停止させた回数を記憶部２２０に記憶する。実施例では、圧縮機２１から吐出される冷媒の温度または圧力を検出する間隔が、例えば、５秒間毎に設定されている。必要に応じて、温度を検出する間隔と、圧力を検出する間隔を異ならせてもよい。
【００４７】
また、室外機制御回路２００は、冷媒の温度の変化率、または、冷媒の圧力の変化率が、各々の第１の閾値Ｎ１以上となって圧縮機２１を停止させた回数が所定回数以上になったとき、圧縮機２１の再起動を規制する。実施例では、室外機制御回路２００は、冷媒の温度の変化率、または、冷媒の圧力の変化率が、各々の第１の閾値Ｎ１以上となって圧縮機２１を停止させた回数が３回となったとき、ユーザが圧縮機２１を再起動させる操作を行った場合であっても、圧縮機２１の運転の停止状態を強制的に継続させる。すなわち、室外機制御回路２００は、圧縮機２１が再起動不能とし、再起動不能状態を解除する操作が行われない限り、圧縮機２１の再起動不能状態を維持する。
【００４８】
上述したように、冷媒の温度の変化率、または、冷媒の圧力の変化率が、各々の第１の閾値Ｎ１を超える回数が多いときは、不均化反応が頻繁に発生している、つまり、着火源となる異常摩耗が頻繁に発生していることを意味している。この場合、室外機制御回路２００は、圧縮機２１に異常があると判断して圧縮機２１の再起動を規制する。
【００４９】
圧縮機２１の再起動を規制したとき、室外機制御回路２００は、室内機制御回路５００ａ〜５００ｃへ情報信号を送り、室内機５ａ〜５ｃの表示パネル等に警告を表示し、警告音を鳴らすことにより、ユーザに警告を発するように制御してもよい。また、室外機制御回路２００は、圧縮機２１を停止した回数に応じて、温度及び圧力をセンサ入力部２４０を介して取り込む間隔が短くなるように、間隔を切り替えるように制御してもよい。
【００５０】
（第２の閾値による制御）
また、冷凍サイクル装置１では、室外機制御回路２００が、圧縮機２１から排出された冷媒の温度または圧力が各々の所定の第２の閾値Ｎ２以上になったときに圧縮機２１の運転を停止させる。ここで、第２の閾値Ｎ２は、圧縮機２１の使用上における冷媒の温度及び圧力の各々の上限値であり、第２の閾値Ｎ２を超えたときに圧縮機２１の損傷を防ぐために圧縮機２１を停止させる保護制御を行うための閾値である。このような圧縮機２１の損傷を防ぐための保護制御により、圧縮機２１内の冷媒の温度を、不均化反応が発生し易い温度未満にすること、または、圧縮機２１内の冷媒の圧力を、不均化反応が発生し易い圧力未満にすることができ、圧縮機２１の内部の冷媒が不均化反応を起こすことが抑えられる。
【００５１】
本実施例では、吐出温度センサ３３及び吐出圧力センサ３１の各検出結果に基づいて、室外機制御回路２００が圧縮機２１を停止させる第２の閾値Ｎ２が、温度を用いる場合は１０５［℃］、圧力を用いる場合は４．２［ＭＰａ］に設定されている。ここで、第２の閾値Ｎ２は、圧縮機２１内の冷媒が不均化反応を起こす温度または圧力よりも所定値だけ小さい値である。室外機制御回路２００は、第２の閾値Ｎ２以上になったときの停止で圧縮機２１の再起動を規制し、その後、室外熱交換器２３において空気が通っていないことや冷媒が漏れて冷媒循環量が低下することで、冷媒の温度や圧力が上昇した場合、冷凍サイクル装置１として異常があると判断する。なお、室外機制御回路２００は、第１の閾値Ｎ１に関する制御と同様に、第２の閾値Ｎ２に基づいて圧縮機２１を停止させた回数が所定回数以上になったとき、圧縮機２１の再起動を規制するように制御を行ってもよい。
【００５２】
このように、室外機制御回路２００は、第２の閾値Ｎ２に基づいて圧縮機２１を停止させることに加えて、第１の閾値Ｎ１に基づいて圧縮機２１を停止させる。言い換えると、冷媒の温度または圧力が各々の第２の閾値Ｎ２以上に達する前に、冷媒の温度の変化率または圧力の変化率が各々の第１の閾値Ｎ１以上になった場合には、室外機制御回路２００によって圧縮機２１が停止される。第２の閾値Ｎ２のみに基づいて圧縮機２１を停止させる場合には、圧縮機２１を停止させるまでの間に冷媒が不均化反応を起こしている場合もあるが、第１の閾値Ｎ１に基づいて圧縮機２１を停止させることにより、不均化反応を早期に抑えることが可能となる。
【００５３】
図４は、実施例の冷凍サイクル装置１において、圧縮機２１から吐出された冷媒温度または圧力の単位時間当たりの変化率を模式的に示すグラフである。図４中の縦軸が冷媒の温度Ｔまたは圧力Ｔを示し、横軸が時間ｔを示す。
【００５４】
図４に示すように、圧縮機２１から吐出される冷媒の温度または圧力が各々の第２の閾値Ｎ２以上になった場合、冷媒が不均化反応を起こし易い状態になる。時間ｔ１で圧縮機２１内で冷媒が不均化反応を起こしていない場合は、図４中に実線で示す状態の単位時間当たりの変化率（ΔＴ／Δｔ）が、第１の閾値Ｎ１未満（（ΔＴ／Δｔ）＜Ｎ１）となる。すなわち、室外機制御回路２００は、冷媒の温度の変化率または圧力の変化率（ΔＴ／Δｔ）に基づいて、圧縮機２１の内部で冷媒の不均化反応が発生していないと判断する。この場合、冷媒の温度または圧力が各々の第２の閾値Ｎ２に達するまで圧縮機２１の運転が続けられる。
【００５５】
一方、時間ｔ１で圧縮機２１内の摺動部分でかじり等の異常摩耗が生じ、異常摩耗に伴う高温が着火源となって冷媒の不均化反応が起こった場合、図４中に破線で示す状態の単位時間当たりの変化率（ΔＴ／Δｔ）が、第１の閾値Ｎ１以上（（ΔＴ／Δｔ）≧Ｎ１）となる。すなわち、室外機制御回路２００は、冷媒の温度の変化率または圧力の変化率（ΔＴ／Δｔ）に基づいて、圧縮機２１の内部で冷媒の不均化反応が発生していると判断する。このように室外機制御回路２００は、第１の閾値Ｎ１に基づいて圧縮機２１の運転を停止させることで、冷媒が不均化反応を早期に抑えられる。
【００５６】
また、室外機制御回路２００は、第１の閾値Ｎ１に基づく停止回数にかかわらずに、第１の閾値Ｎ１による停止と、第２の閾値Ｎ２による停止とを組み合わせた条件で、圧縮機２１の再起動を規制してもよい。例えば、室外機制御回路２００は、第１の閾値Ｎ１に基づく圧縮機２１の停止と、第２の閾値Ｎ２に基づく圧縮機２１の停止との両方が生じた場合に、第１の閾値Ｎ１に基づく停止回数、第２の閾値Ｎ２に基づく停止回数にかかわらずに圧縮機２１の再起動を規制してもよい。
【００５７】
（圧縮機の吐出口の大きさ）
圧縮機２１の圧縮部２１ａは、冷媒を吐出する吐出口２１ｂの大きさが、圧縮部２１ａ内で冷媒が不均化反応を起こしたときに圧縮機２１から冷媒回路１００への不均化反応の伝播を抑えるように所定の大きさ以下に形成されている。
【００５８】
具体的には、吐出口２１ｂの大きさが直径２．５［ｍｍ］以下の円形状に形成されている。吐出口２１ｂの大きさは、例えば、スライド弁型の吐出弁によって吐出口２１ｂが開閉される構造の場合、吐出口２１ｂの最大開口時の大きさを指す。また、図示しないが、２シリンダ型のロータリ圧縮機の場合には、上シリンダの上吐出穴、下シリンダの下吐出穴のそれぞれが、上述した所定の大きさ以下に形成されている。スクロール圧縮機の場合にも同様に、圧縮部の吐出口が所定の大きさ以下に形成されている。
【００５９】
火炎は、一定の大きさ以下の貫通穴を通過することができない性質があり、貫通穴を通過しようとしたときに貫通穴が形成された部材によって火炎の伝播が抑えられることで、火炎が延焼しない傾向がある。このような火炎の振る舞いを踏まえて、火炎の延焼と不均化反応の伝播が同じメカニズムであるという着想に基づいたとき、上述のように吐出口２１ｂの大きさが所定の大きさ以下に形成されることにより、圧縮部２１ａで発生した不均化反応が、吐出口２１ｂを通過することが妨げられる。このため、圧縮部２１ａで発生した不均化反応が、吐出口２１ｂを通して圧縮機２１の外部に伝播し、冷媒回路１００へと不均化反応が拡散することが抑制される。したがって、上述した第１の閾値Ｎ１及び第２の閾値Ｎ２に基づく室外機制御回路２００の制御で発揮される効果と相まって、圧縮機２１内の冷媒が不均化反応を起こした場合であっても、圧縮機２１の外部へ不均化反応が拡散することを効果的に抑えることができる。
【００６０】
上述のように実施例の冷凍サイクル装置１は、吐出温度センサ３３または吐出圧力センサ３１の検出結果に基づいて圧縮機２１を停止させる室外機制御回路２００を備えおり、吐出温度センサ３３が検出した冷媒の温度の時間当たりの変化率（ΔＴ／Δｔ）、または吐出圧力センサ３１が検出した冷媒の圧力の時間当たりの変化率（ΔＴ／Δｔ）が、各々の第１の閾値Ｎ１以上になったときに、室外機制御回路２００が圧縮機２１を停止させる。これにより、圧縮機２１の内部で冷媒が不均化反応を起こしても迅速に抑えることができる。したがって、室外機制御回路２００が、第２の閾値Ｎ２のみで圧縮機２１を停止させるのに比べて、不均化反応を早期に抑えることができる。
【００６１】
したがって、圧縮機２１の摺動部分でかじり等の異常摩耗が発生した場合に、かじり等が着火源となった不均化反応の発生を、第１の閾値Ｎ１に基づいて検出し、圧縮機２１を早期に停止させることで不均化反応を早期に抑制できる。また、第１の閾値Ｎ１に基づいて停止された圧縮機２１が再起動された場合であっても、上述の異常摩耗に伴う不均化反応が再び発生しても、室外機制御回路２００は、第１の閾値Ｎ１に基づいて圧縮機２１を速やかに再停止させることができる。このため、ＨＦＯ−１１２３冷媒の不均化反応を抑制するための制御の信頼性を高めることができる。その結果、冷凍サイクル装置１の安全性を高めることができる。
【００６２】
加えて、第１の閾値Ｎ１に基づいて圧縮機２１を停止させるために用いられる吐出温度センサ３３及び吐出圧力センサ３１を、第２の閾値Ｎ２に基づいて圧縮機２１を停止させるために兼用させることが可能になり、冷凍サイクル装置１の製造コストの増加を抑えることができる。
【００６３】
また、実施例の冷凍サイクル装置１における室外機制御回路２００は、第１の閾値Ｎ１に基づいて圧縮機２１を停止させた回数が所定回数以上になったとき、圧縮機２１の再起動を規制する。これにより、圧縮機２１内で異常摩耗が生じた場合に、圧縮機２１の停止させる制御が繰り返されることが避けられるので、圧縮機２１を再起動させるたびに圧縮機２１の内部で不均化反応を繰り返すことによって圧縮機２１が損傷することを抑えることができる。また、圧縮機２１の停止が所定回数以上になった場合に圧縮機２１の再起動が規制されることにより、例えば、第１の閾値Ｎ１に基づいて圧縮機２１を停止させると共に圧縮機２１の再起動を規制してしまう場合と比べて、冷凍サイクル装置１の使用上の不便をユーザに与えることを抑えることができる。例えば１回の誤検出に起因して圧縮機２１の再起動が規制されてしまうことで、冷凍サイクル装置１の使用が速やかに制限されることにより、誤検出のたびに規制状態を解除する等を行う不便が生じることを避けることができる。
【００６４】
また、実施例の冷凍サイクル装置１における圧縮機２１の圧縮部２１ａの吐出口２１ｂの大きさが、圧縮部２１ａ内で冷媒が不均化反応を起こしたときに圧縮機２１から冷媒回路１００への不均化反応の伝播を抑えるように所定の大きさ以下に形成されている。これにより、圧縮部２１ａで発生した不均化反応が、吐出口２１ｂを介して冷媒回路１００に伝播することを防ぐことができる。このため、圧縮部２１ａで発生した不均化反応が、吐出口２１ｂを通して圧縮機２１の外部に伝播し、冷媒回路１００に不均化反応が拡散することを抑制することができる。したがって、圧縮機２１内の冷媒が不均化反応を起こした場合であっても、圧縮機２１の外部へ不均化反応が拡散することを抑えることができる。
【００６５】
なお、本発明の冷凍サイクル装置が備える圧縮機は、ロータリ圧縮機に限定されるものではなく、スクロール圧縮機等の他の圧縮機に適用されてもよい。
【符号の説明】
【００６６】
１  冷凍サイクル装置
２  室外機
２１  圧縮機
２１ａ  圧縮部
２１ｂ  吐出口
３１  吐出圧力センサ（圧力センサ）
３３  吐出温度センサ（温度センサ）
１００  冷媒回路
２００  室外機制御回路（制御部）
【図１】
2020034250.tif 000003
【図２】
2020034250.tif 000004
【図３】
2020034250.tif 000005
【図４】
2020034250.tif 000006